(57)【要約】【課題】極めてシンプルな構造で提供可能な綴じ具と、当該綴じ具を表紙体に取り付けたファイルを提供すること。【解決手段】面内に綴じ穴２６を備えたベースシート１５と、このベースシート１５に連なる状態で設けられた綴じ足１６とを備え、当該綴じ足１６を綴じ穴２６に挿入することで閉ループを形成して書類Ｐの綴じ込みが可能な綴じ具１２が構成されている。この綴じ具１２は、表紙体１１の内面側に取り付けられてファイル１０を構成する。ベースシート１５は、綴じ足１６を支持する第１の面２０と、これに連なる第２の面２２を含み、綴じ足１６は、第１の面２０に対して略直交する起立姿勢に向けられている。【選択図】図１
2012135929.tif 000002
【特許請求の範囲】
【請求項１】
一枚のシートにより構成されるとともに、当該シートの面内に綴じ穴を備えたベースシートと、このベースシート側に設けられる綴じ足とを備え、当該綴じ足を前記綴じ穴に挿入することで閉ループを形成して書類の綴じ込みを可能とした綴じ具において、
前記ベースシートは、前記綴じ足を支持する第１の面と、前記綴じ穴が形成されるとともに前記第１の面に対して折り曲げ可能に連なる第２の面とを含み、
前記綴じ足は、前記第１の面に対して略直交する起立姿勢となる状態で支持されているとともに、左右方向に倒伏可能に設けられていることを特徴とする綴じ具。
【請求項２】
前記綴じ足は単一の帯状部材若しくは紐状部材により構成され、この帯状部材若しくは紐状部材の中間が前記第１の面の外面側に位置して両側が第１の面の内面側に貫通して延びることを特徴とする請求項１記載の綴じ具。
【請求項３】
請求項１又は２記載の綴じ具と、当該綴じ具が固定される表紙体とを備えたファイルであって、
前記表紙体の内面側に前記綴じ足の一部が位置する状態で前記第１の面が表紙体に固定されていることを特徴とするファイル。
【発明の詳細な説明】
【技術分野】
【０００１】
本発明は、綴じ具及びファイルに係り、更に詳しくは、綴じ具自体を簡易な構成により構成できるとともに、成形材料の制約を伴うことなく期待する耐久性を付与することができる綴じ具と、当該綴じ具を備えたファイルに関する。
【背景技術】
【０００２】
フラットファイルと称されるファイルは、表紙体と、この表紙体の内面側に配置される綴じ具とにより構成されている。綴じ具としては、表紙体の背表紙側に配置される二本の綴じ足と、当該綴じ足を押え付け可能なスライダを備えた綴じ板部材とからなり、綴じ板部材に設けられた穴内に綴じ足を差し込んでスライダで押え付けることで書類の綴じ込みが可能となっている。
【０００３】
このような綴じ具は樹脂材料を用いた成形品により構成されることから、量産性を有し、広く普及するに至っているが、カタログやパンフレット等の書類をファイルする場合のような簡易なファイル構造とするには導入コストに無駄が多い。
【０００４】
そこで、簡便性を備えたファイルとして、一枚のシート材を綴じ具のベース部材とし、このベース部材から綴じ足を突出させるとともに、前記ベース部材の面内に綴じ足を挿入させるように設計された綴じ具が提案されている（例えば、特許文献１参照）。
【先行技術文献】
【特許文献】
【０００５】
【特許文献１】特開２００８−６２４１９号公報
【発明の概要】
【発明が解決しようとする課題】
【０００６】
特許文献１に記載された綴じ具によれば、フラットファイルに用いられているような綴じ具に比べて部品点数が少なく、シンプルな構成とすることができる。
しかしながら、特許文献１に記載された綴じ具は、綴じ足が綴じ具のベース部材と同一平面内に突出しているものであり、綴じ込みを行うときに、綴じ足を大きく撓ませなければならない。そのため、綴じ足の基部に負荷が掛かり、例えば、綴じ足を紙製としたときには、耐久性を維持できない、という不都合がある。つまり、特許文献１記載の綴じ具は、頻繁な折り曲げに耐え得る樹脂材料等を用いなければならない、という設計上の制約がある。
【０００７】
［発明の目的］
本発明の目的は、紙等を成形素材として用いることができ、極めてシンプルな構造で提供可能な綴じ具と、当該綴じ具を表紙体に取り付けた綴じ具及びファイルを提供することにある。
【課題を解決するための手段】
【０００８】
前記目的を達成するため、本発明は、特許請求の範囲記載の構成を採用した。具体的には、一枚のシートにより構成されるとともに、当該シートの面内に綴じ穴を備えたベースシートと、このベースシート側に設けられる綴じ足とを備え、当該綴じ足を前記綴じ穴に挿入することで閉ループを形成して書類の綴じ込みを可能とした綴じ具において、
前記ベースシートは、前記綴じ足を支持する第１の面と、前記綴じ穴が形成されるとともに前記第１の面に対して折り曲げ可能に連なる第２の面とを含み、
前記綴じ足は、前記第１の面に対して略直交する起立姿勢となる状態で支持されているとともに、左右方向に倒伏可能に設けられる、という構成を採っている。
ていることを特徴とする綴じ具。
【０００９】
本発明において、前記綴じ足は単一の帯状部材若しくは紐状部材により構成され、この帯状部材若しくは紐状部材の中間部が前記第１の面の外面側に位置して両側部が第１の面の内面側に貫通して延びる、という構成を採っている。
【００１０】
また、本発明は、請求項１又は２記載の綴じ具と、当該綴じ具が固定される表紙体とを備えたファイルであって、
前記表紙体の内面側に前記綴じ足の一部が位置する状態で前記第１の面が表紙体に固定される、という構成を採っている。
【発明の効果】
【００１１】
本発明によれば、綴じ足がベースシートの第１の面に対して略直交する起立姿勢となる状態で支持されているから、第２の面に設けられた穴に綴じ足を挿入するときに、綴じ足の基部に過大な力が加わるといった従来の不都合は生じない。従って、綴じ足が一定の強度を備えた構成であれば、紙製のものであっても利用することができ、廉価に提供可能となる。
また、綴じ足が単一の帯状部材により構成されているので、第１の面に二つの貫通孔を設け、これら貫通孔に綴じ足を挿通させるだけで綴じ足を第１の面に支持させることができるから、紙縒りを利用した綴じ具を構成することができる。
【図面の簡単な説明】
【００１２】
【図１】実施形態に係る綴じ具を備えたファイルを展開した状態を示す斜視図。
【図２】前記綴じ具で書類を綴じた状態を示す斜視図。
【図３】前記ファイルの分解斜視図。
【図４】図１のＡ−Ａ線断面図。
【発明を実施するための形態】
【００１３】
図１に示されるように、ファイル１０は、表紙体１１と当該表紙体１１の内面側に取り付けられた綴じ具１２とにより構成されている。表紙体１１は、表表紙１１Ａと、当該表表紙１１Ａに背表紙１１Ｂを介して連なる裏表紙１１Ｃとからなり、当該裏表紙１１Ｃの自由端側には、表表紙１１Ａの外面側に位置可能な折り返し面１１Ｄが連設されている。
【００１４】
前記綴じ具１２は、一枚のシートからなるベースシート１５と、このベースシート１５に連なる綴じ足１６とを含む。ベースシート１５は、材質は特に限定されるものではないが、本実施形態では、表紙体１２と同様の紙により構成されている。このベースシート１５は、綴じ足１６を支持する平面視長方形状をなす第１の面２０と、この第１の面２０に折り曲げ部２１を介して折り曲げ可能に連なるとともに、第１の面２０と略同じ大きさを有する第２の面２２とを備えている。
【００１５】
前記ベースシート１５は、第１の面２０の図３中下面側が背表紙１１Ｃ側に接着等の手段を介して固定され、折り曲げ部２１及び第２の面２２は第１の面２０に対して角度変位可能となっている。ここで、第１の面２０には長手方向両端近傍に貫通孔２５が各一個形成されている。また、第２の面には、貫通孔２５の対称位置に綴じ穴２６がそれぞれ形成されている。
【００１６】
前記綴じ足１６は帯状部材若しくは紐状部材により構成されている。具体的には、複数本の紙縒りを平面内で相互に平行に並べ、それらを糊で相互に接着した水引きにより構成されている。この綴じ足１６は、図３に示されるように、一対の両側部１６Ａを中間部１６Ｂに対して略直角方向に折り曲げることによって形成され、前記両側部１６Ａが第１の面２０に形成された貫通孔２５を通じて第１の面２０に対して略直交する方向に起立するようになっている。
【００１７】
本発明に係るファイル１０を形成する場合には、図３に示されるように、綴じ足１６を形成する帯状部材を折り曲げてコ字状に形成しておく、そして、綴じ足１６の両側部１６Ａを第１の面２０の貫通孔２５に対して下方から挿通し、中間部１６Ｂを第１の面２０の下面側に接着する。
【００１８】
次いで、第１の面２０を背表紙１１Ｃの内面に接着することにより、綴じ具１２を表紙体１１に取り付けることができる。この状態では、綴じ足１６は、その両側部１６Ａが第１の面２０に対して略直交する方向に起立し、左右方向に倒伏可能な状態となる。
【００１９】
書類Ｐを綴じ込むときは、当該書類Ｐに設けられた二箇所の綴じ穴に綴じ足１６の両側部１６Ａを挿通した後、当該両側部１６Ａを第２の面２２の綴じ穴２６に挿入すればよい（図２参照）。この際、第２の面２２は、図４に示されるように、予め折り曲げておくことにより、綴じ足１６の挿通をスムースに行うことができる。
【００２０】
従って、このような実施形態によれば、綴じ足１６が第１の面２０に対して起立した姿勢を初期位置としていることから、書類Ｐを綴じ込む際に綴じ足１６を従来タイプに比べて大きく角度変位させる必要がなく、綴じ足に過大な負荷を与えてしまうといった不都合を解消することができる。
また、綴じ具１２は紙を成形素材としているので、樹脂製とした場合の成形型を必要とすることなく廉価に提供することができる。
【００２１】
本発明を実施するための最良の構成、方法、被収容材などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、その他の詳細な構成において、当業者が様々な変形を加えることができるものである。
従って、上記に開示した形状、位置などを限定した記載は、本発明の理解を容易にするために例示的に記載したものであり、本発明を限定するものではないから、それらの形状などの限定の一部若しくは全部の限定を外した物品の名称での記載は、本発明に含まれるものである。
【００２２】
例えば、前記実施形態では、綴じ足１６の中間部１６Ｂを第１の面２０に接着するものとしたが、第１の面２０を裏表紙１１Ｃに接着するだけでもよい。
更に、綴じ足１６は前記実施形態の紙縒りからなるものに限らず、裏表紙１１Ｃの一部を切り起こして帯状片を形成し、この帯状片を貫通孔２５に挿入して形成することもできる。
【００２３】
また、綴じ具１２の取付位置は、図示構成例に限定されるものではなく、上端側等に取付位置を変更することもできる。
【符号の説明】
【００２４】
１０  ファイル
１１  表紙体
１２  綴じ具
１５  ベースシート
１６  綴じ足
１６Ａ  両側部
１６Ｂ  中間部
２６  綴じ穴
２０  第１の面
２２  第２の面
Ｐ  書類
【図１】
2012135929.tif 000003
【図２】
2012135929.tif 000004
【図３】
2012135929.tif 000005
【図４】
2012135929.tif 000006